(57)【特許請求の範囲】
【請求項１】
被支持体の縦板状の係止フックが挿抜される上下多段の挿入口を有する表面と、これら挿入口から内部に挿入された係止フックが上下に移動できる縦溝とを備えるチャンネル型サポートにおいて、
前記挿入口の少なくとも下部が下端で係止フックの板厚よりも細くなる下細り形状に形成されると共に、前記縦溝の両方又は一方の溝側面に前記縦溝の両方又は一方の溝側面部を溝内側に湾曲させて、前記被支持体の係止フックに当接する突部が形成されていることを特徴とするチャンネル型サポート。
【請求項２】
前記挿入口が上下方向及び幅方向に対称形に形成される請求項１に記載のチャンネル型サポート。
【請求項３】
前記突部は縦溝の両方に形成され、突部の間隔が被支持体の板厚以下であることを特徴とする請求項１に記載のチャンネル型サポート。
【請求項４】
前記縦溝の両方又は一方の溝側面部が挿入口の表面部より内部に向かって溝内側に迫り出すようにテーパー状に形成されている請求項１に記載のチャンネル型サポート。
【発明の詳細な説明】
【０００１】
【発明の属する技術分野】
本発明は、陳列棚、パーティションボードなどを横振れしないように支持できるチャンネル型サポートに関する。
【０００２】
【従来の技術】
屋内に陳列棚を設置する場合、例えば図２６の斜視図に示すように、適当な間隔を置いて設置された支柱１０１にそれぞれチャンネル型サポート１０２をタップネジ１０９を用いて固定し、このチャンネル型サポート１０２に板状のブラケット１０３を係止し、更にこのブラケット１０３の上に棚板１０４が載せられる。チャンネル型サポート１０２の間には必要に応じてバックボード１０５が設置される。
【０００３】
図２７の縦断側面図に示すように、前記ブラケット１０３の後端部には上下２段以上の倒Ｌ字形に垂れ下がる係止フック１０６が形成され、又、チャンネル型サポート１０２はこれら係止フック１０６が挿抜される上下多段の挿入口１０７と、これら挿入口１０７から内部に挿入された係止フック１０６が上下に移動できる縦溝１０８とを備える。そして、前記ブラケット１０３は、チャンネル型サポート１０２の前面に形成された挿入口１０７から係止フック１０６を挿入してブラケット１０３を下げるという手順でチャンネル型サポート１０２に係止される。
【０００４】
ところで、従来のチャンネル型サポート１０２では挿入口１０７は縦長の角長孔に形成され、その幅は係止フック１０６の挿抜を容易にするためにブラケット１０３の板厚よりも若干大きくしてある。又、縦溝１０８の幅は加工技術上の理由からこの挿入口１０７の幅よりも更に大きく形成されている。
【０００５】
例えば図２８の横断平面図に示すように、フープ材をロール成形、折曲加工などにより溝型材、パイプ型材などの型材を形成し、この型材に挿入口１０７を打抜形成することにより形成されたチャンネル型サポート１０２の場合には、挿入口１０７を打抜く時に縦溝１０８が開いたり、軸方向の反りが生じたりすることを防止するため、型材の角のＲ部分を除いた部分に挿入口１０７を打抜くので、縦溝１０８の幅は挿入口１０７の幅よりも大きくなる。
【０００６】
又、図２９の横断平面図に示すように、溝型に形成されたアルミニューム押出型材を用いる場合には、型材の角を角張らせることができ、縦溝１０８の幅と同じ幅の挿入口１０７を打抜くことが理論上は可能であるが、現実には縦溝１０８と挿入口１０７との位置を厳密に合わせて打抜くことが難しいので、縦溝１０８の幅を挿入口１０７のそれよりも大きく設計している。
【０００７】
このように、従来のチャンネル型サポート１０１においては、挿入口１０７がブラケット１０３の板厚よりも幅が大きい４角長孔に形成されているので、ブラケット１０３が挿入口１０７や縦溝１０８の中で横振れし易く、例えばブラケットに載置された棚板や商品などの支持が不安定になるという問題がある。
【０００８】
しかし、この問題を解決するための具体的な技術的手段はこれまでのところ見当たらない。
【０００９】
又、従来のチャンネル型サポートにおいては、挿入口１０７がブラケット１０３の板厚よりも広幅に形成されていることに加えて、縦溝１０８の幅がブラケット１０３の板厚よりも大きく形成されているため、ブラケット１０３が挿入口１０７を中心にして縦溝１０８の中で横振れし易く、例えば前後軸心を中心にして左右に±４．８３°も横振れし、ブラケットに載せた棚板やその上に載置される商品などの支持が不安定になるという問題がある。
【００１０】
この問題を解決するために、従来では例えば特開平７−２７５０９６号公報、特開２０００−１５７３４８号公報などに開示されているように、横振れ防止用の別部品が付加されることが多い。
【００１１】
しかし、このように別部品を付加すると、部品点数が増加し、製品コストが増大することは避けられない。又、部品点数が増加することにより、輸送中や現場施工中の部品紛失のおそれが高くなり、現場での組立作業が複雑になる等の問題も生じてくる。更に、現場での組立作業が複雑になるため、作業上の熟練あるいはコツが要求される上、手間が増えるだけ工費も高くなり、しかも、店員などの工事に不慣れな者が簡単にはブラケットの高さを変えたり、別のブラケットと交換したりすることができなくなる。加えて、横振れ防止用の別部品の取付不良が生じ、被支持体の支持が不安定になる危険性もある。
【００１２】
特開平１０−１５５６１４号公報は、角管状のチャンネル型サポートにおいて、挿入口を角管の角の部分に形成し、ブラケットの係止フックをチャンネル型サポートの内面に当接させることによりチャンネル型サポート自体にブラケットの横振れ防止機能を持たせることを提案している。
【００１３】
この場合には、部品点数を増加させることなくブラケットの横振れを防止できるので、横振れ防止用の部品を追加する従来例の課題は解消できるが、左右のブラケットがその先端側が開く方向への横振れを防止するために、棚板の左右両端に垂下部が設けられる必要があり、例えばガラス板などからなる棚板にこのような垂下部を設けることが著しく困難な場合には適用できない。
【００１４】
又、挿入口の開口幅がブラケットの板面と平行な方向から見てブラケットの板厚よりもわずかに大きく形成されているので、他の従来例と同様に係止フックの基端部の横振れを防止することはできない。
【００１５】
更に、チャンネル型サポートの角部に上下多段の挿入口を形成すると、チャンネル型サポートの角が他物に引っ掛かり易くなり、現場における組立作業の作業性が悪くなり、作業者がケガをする危険性がある。
【００１６】
加えて、この構成はチャンネル型又は角パイプ型のチャンネル型サポートには適用できるが、この他の丸パイプ型等のチャンネル型サポートには適用できない。
【００１７】
ところで、端縁部に同様の係止フックを備えているパーティションボードが組付けられるチャンネル型サポートにおいても同様に、部品点数を増加させることなく、パーティションボードの横振れを防止でき、しかも、設置現場における作業性が良く、運搬時や設置時に作業者がケガをする恐れのないものが求められている。
【００１８】
【発明が解決しようとする課題】
本発明は、このような従来技術の課題を解決し、横振れ防止用の別部品が不用で、しかも、設置現場における被支持体の着脱が簡単に短時間でできる横振れ防止機能を備えたチャンネル型サポートを提供することを目的とするものである。
【００１９】
【課題を解決するための手段】
この目的を達成するため、本発明のチャンネル型サポートは、被支持体の縦板状の係止フックが挿抜される上下多段の挿入口を有する表面と、これら挿入口から内部に挿入された係止フックが上下に移動できる縦溝とを備えるチャンネル型サポートにおいて、前記挿入口の少なくとも下部が下端で係止フックの板厚よりも細くなる下細り形状に形成されると共に、前記縦溝の両方又は一方の溝側面に前記縦溝の両方又は一方の溝側面部を溝内側に湾曲させて、前記被支持体の係止フックに当接する突部が形成されていることを特徴とする。
【００２０】
ここで、被支持体とは、支柱、壁などにチャンネル型サポートを介して、或いは支柱や壁と一体化されたチャンネル型サポートに懸架されるものであって、端部に上下２段以上の倒Ｌ字形に垂れ下がる係止フックを備えているものを言い、例えば陳列棚やハンガーパイプのブラケット、パーティションボードなどが挙げられる。
【００２１】
本発明のチャンネル型サポートは、被支持体の縦板状の係止フックが挿抜される上下多段の挿入口を有する表面と、これら挿入口から内部に挿入された係止フックが上下に移動できる縦溝とを備えるものであり、例えばフープ材をロール成形した溝型材、押出成形又は引抜成形した溝型材やパイプ型材などの型材の表面に上下多段の挿入口を形成したものが挙げられる。
【００２２】
この型材には挿入口が共通の表面に２列に並べて上下多段に形成されたダブルタイプのものと、挿入口が１つの表面に１列に並べて上下多段に形成されたシングルタイプのものとが含まれ、パイプ型材の中には単純な角パイプ型材、丸パイプ型材の他に、内部又は外周に挿入口の列に対応して少なくとも１条の溝型が一体的に形成されたパイプ型材とが含まれる。
【００２３】
又、この突部はチャンネル型サポートの軸方向に連続して形成してもよく、チャンネル型サポートの軸方向に断続して形成してもよく、チャンネル型サポートの軸方向に点々と並べて形成してもよい。
【００２４】
更に、この突部は被支持体の係止フックの側面に面接触状に当接するように設けてもよく、線接触状に当接するように設けてもよく、点接触状に当接するように設けてもよい。
【００２７】
さらに、前記突部は縦溝の両方に形成され、突部の間隔が被支持体の板厚以下に構成してもよい。
【００２８】
突部の間隔が被支持体の板厚以下に構成することで、被支持体の係止フックの上下動が突起との摩擦により防止されているので一層安全性を高めることができる。
【００３０】
上記の発明によれば、係止フックが挿入口の下部の左右両側縁で受止められると共に、縦溝内で突部に当接することにより、横振れ防止用の別部材を用いることなく、被支持体の横振れが係止フックの基端部と先端部との２箇所で防止され、例えば横振れの角度が前後軸心を中心にして左右に±１．１７°以下になるというように、一層確実に被支持体の横揺れが防止されるという作用を得ることができる。
【００３１】
又、横揺れ防止用の別部材を用いないので、部品点数が少なくなるという作用、被支持体の組付作業及び分解作業が簡単かつ容易になるという作用などを得ることができる。
【００３２】
【発明の実施の態様】
以下、本発明の実施例に係るチャンネル型サポートを図面に基づいて具体的に説明する。図面において、図１は本発明の一実施例に係るチャンネル型サポートの斜視図であり、この図においては紙面の斜め左手前方向を前方とし、斜め右手前方向を右方向として示している。又、図２はこのチャンネル型サポートの平面図であり、この図においては図面の左方を前方とし、上方を左方として示している。
【００３３】
前記図１に示すように、このチャンネル型サポート１は、シングルタイプチャンネル型サポートと呼ばれ、被支持体２として陳列棚のブラケットなどを支持するものであって、例えば押出成形されたアルミニューム溝型材からなる。
【００３４】
この溝型材の前側の表面３の中央部に例えば陳列棚のブラケットからなる被支持体２の係止フック４を挿抜する挿入口５が上下多段に形成され、前記溝型材の溝により、前記挿入口５から内部に挿入された係止フック４が上下に移動できる縦溝６が構成されている。
【００３５】
ところで、前記挿入口５は、例えば打抜き加工により形成されたものであり、上端で被支持体２の板厚よりも細くなる上細り形状に形成された上部５ａと、被支持体２の板厚よりも大きい縦長孔状に形成された中間部５ｂと、下端で被支持体２の板厚よりも細くなる下細り形状に形成された下部５ｃとを順に連続させた８角長孔に形成されている。
【００３６】
なお、図１においては上部５ａと下部５ｃとを誇張して示しているが、実際には挿入口５の全高（例えば１３ｍｍ）に対して上部５ａ及び下部５ｃの高さは３％程度（例えば０．４ｍｍ）であり、挿入口５の幅（例えば３．３ｍｍ）に対して上端及び下端の幅は８８％程度（例えば２．９ｍｍ）である。
【００３７】
ところで、前記縦溝６の両方の溝側面７には、溝側面７の後部を部分的に内側に湾曲する形状に成形することにより、被支持体２の係止フック４に当接する突部８が形成されている。
なお、左右の突起８の間隔は、ここでは被支持体２の上下移動を円滑にするために被支持体２の板厚（例えば３．２ｍｍ）よりも極わずかに大きく（例えば３．３ｍｍに）形成しているが、被支持体２の板厚と同等に形成してもよく、更に、被支持体２の板厚よりも狭く形成し、これら突起８の間に挿入された係止フック４が両側から弾性的に挟圧されるようにしたり、被弾性的に挟持されるようにしたりしてもよい。
【００３８】
これらの突部８は、押出成形時に溝側面７が溝内側に湾曲するように成形することにより形成したものであり、押出金型の押出し口の形状を変更すればよいので、金型費用はほとんど増加せず、図２８に示す従来のチャンネル型サポート１０２に比べて成形加工費が増加することはない。
【００３９】
又、材料費はチャンネル型サポート１の断面積を増大させない限り増加することはなく、通常、断面積を増大させずに所要の機械的強度を確保できるので、図２９に示す従来のアルミニュウム押出型材からなるチャンネル型サポート１０２に比べて材料費が増加することはない。
【００４０】
ところで、このチャンネル型サポート１によれば、被支持体２の係止フック４を挿入口５から縦溝６に差込み、下方に移動させることにより被支持体２をチャンネル型サポート１に支持させることができる。
【００４１】
このようにして係止フック４を被支持体２に支持させると、係止フック４の基端部が挿入口５の下部の左右両側縁部に当接するので、係止フック４の基端部が左右に横振れすることが防止されるという作用が得られ、又、係止フック４の先端部が左右の突起８に当接するので、係止フック４の先端部が左右に横振れすることが防止されるという作用を得ることができ、これらの作用があいまって被支持体２の横振れ角度を例えば前後軸を中心に±１．１７°程度に小さくすることができた。
【００４２】
従って、このチャンネル型サポート１によれば、横振れ防止用の部品を用いずに被支持体２の横振れを確実に防止できるという効果を得ることができる。そして、これらの作用ないし効果により、横振れ防止用の別部材を追加する必要がなくなり、部品点数が減少し、製品コストを安価にすることができるという効果が得られる。
【００４３】
又、横振れ防止用の別部品を用いないので、上述したように、被支持体２の係止フック４を挿入口５から縦溝６に差込み、被支持体２を下方にずらせるという簡単な作業で被支持体２をチャンネル型サポート１に組付けることができると共に、チャンネル型サポート１に組付けた被支持体２を上にずらし、係止フック４を縦溝６から挿入口５を経て抜き取るという簡単な作業で被支持体２をチャンネル型サポート１から分解できるという作用を得ることができる。
【００４４】
更に、このように被支持体の着脱が簡単に短時間でできるという作用により、陳列棚の設置現場における施工工事が簡単になり、工期が短縮できると共に、熟練やコツが要らなくなり、人件費を含めて設置工事費用を削減できる等の効果を得ることができる。
【００４５】
加えて、このように被支持体の着脱が簡単に短時間でできるという作用により、商店の店員などが簡単に被支持体２をチャンネル型サポート１から分解して、異なる高さに付替えたり、別の被支持体２に付替えたりすることができるという効果も得ることができる。
【００４６】
更に、横振れ防止用の別部品を用いないので、部品点数が減少し、これにより、部品管理が容易になり、部品が紛失する恐れもなくなるという効果を得ることができる。
【００４７】
特に、このチャンネル型サポート１によれば、挿入口５がチャンネル型サポート１の角に形成されず、前側の表面３の中央部に形成されているので、挿入口５に他物が引っ掛かり難くなり、例えば運搬作業、組立作業などの作業性を高めることができると共に、人がケガをする可能性をほとんどなくすことができる。
【００４８】
もちろん、横振れ防止用の別部品を用いないので、別部品の取付不良により被支持体２の支持が不安定になるという危険性がなくなり、安全性が高められる。
【００４９】
特に、突起８の間隔を被支持体２の板厚以下にしている場合には、被支持体２の横振れが防止されるのみならず、被支持体２の係止フック４の上下動が突起８との摩擦により防止されるので一層安全性が高められる。
【００５０】
又、このチャンネル型サポート１によれば、チャンネル型サポート１と被支持体２との嵌合構造が極めて簡単であるので、モジュールデザイン化ないしユニバーサルデザイン化することが著しく容易になる。
【００５１】
図３は本発明の他の実施例に係るチャンネル型サポートの平面図であり、この図においては図面の左方を前方として、下方を右方として示している。
【００５２】
この図３に示すチャンネル型サポート１は、前記両側面７の後端部を厚肉に形成することにより突起８が形成されていることを除けば、前例と同様に構成されており、前例と同様の作用ないし効果を得ることができる。
【００５３】
図４は本発明の又他の実施例に係るチャンネル型サポートの平面図であり、この図においては図面の左方を前方として、下方を右方として示している。
【００５４】
この図４に示すチャンネル型サポート１は、前記両側面７の中央部が内側に湾曲してＶ字状に形成することにより突起８が形成されていることを除けば、前例と同様に構成されており、前例と同様の作用ないし効果を得ることができる。
【００５５】
図５は本発明の更に又他の実施例に係るチャンネル型サポートの平面図であり、この図においては図面の左方を前方として、下方を右方として示している。
【００５６】
この図５に示すチャンネル型サポート１は、前記両側面７の中央部が一番内側に湾曲するように、全体に湾曲させた形状に形成することにより突起８が形成されていることを除けば、前例と同様に構成されており、前例と同様の作用ないし効果を得ることができる。
【００５７】
図６は本発明の更に又他の実施例に係るチャンネル型サポートの平面図であり、この図においては図面の左方を前方として、下方を右方として示している。
【００５８】
この図６に示すチャンネル型サポート１は、前記両側面７の後端部を表面側から後端部に向かって両者の幅が狭くなるように側面７をテーパー状に形成することにより突起８が形成されていることを除けば、前例と同様に構成されており、前例と同様の作用ないし効果を得ることができる。
【００５９】
図７は本発明の更に又他の実施例に係るチャンネル型サポートの平面図であり、この図においては図面の左方を前方として、下方を右方として示している。
【００６０】
この図７に示すチャンネル型サポート１は、前記両側面７の後端部を内側に湾曲させることにより突起８が形成されていることを除けば、前例と同様に構成されており、前例と同様の作用ないし効果を得ることができる。
【００６１】
図８の横断平面図に示す本発明の更に又他の実施例に係るチャンネル型サポート１は縦溝６の一方の溝側面７のみに突起８が形成されたものであり、左右反対勝手のチャンネル型サポート１を左右方向に適当な間隔を置いて配置し、互いに連結部材９により固定された左右１対の被支持体２が各チャンネル型サポート１に係止される。
【００６２】
この実施例のその他の構成、作用ないし効果は前記本発明の一実施例と同様である。
【００６３】
なお、この連結部材９としては、左右の被支持体２の上に載置される棚板の垂れ下がりを防止するためにチャンネル型サポート１の前方で左右の被支持体２を連結する１本、又は前後に適当な間隔を置いた複数本の連結バー、左右の被支持体２が両端部に固定される棚板やハンガーパイプなどがその例として挙げられる。
【００６４】
図９は本発明の更に他の実施例に係るチャンネル型サポートの横断平面図であり、この図においては図上の上方を向かって右方として、図上の左方を前方として示している。
【００６５】
このチャンネル型サポート１は、ダブルタイプのチャンネル型サポートと呼ばれるものであり、前記シングルタイプの略２倍の幅を有する前側の表面３の中央部に上下多段の挿入口５が左右２列に形成されている。
又、このチャンネル型サポート１内には必要に応じて設けられた中央壁１０により区分される２条の縦溝６が形成され、各縦溝６には対応する挿入口５から被支持体２の係止フック４が挿入される。
【００６６】
このチャンネル型サポート１は、図８に示した前例と同様に、左右に適当な間隔を置いて配置され、連結部材９により互いに固定された被支持体２の係止フック４を対応するチャンネル型サポート１の例えば内側の列の挿入口５に挿入して、左右対をなすチャンネル型サポート１に係止させるようにしてある。
【００６７】
各被支持体２の横振れが両側の突起８に牽制されて両方向に牽制され、より確実に各被支持体２の横振れが防止される作用ないし効果が得られることを除けば、この実施例のその他の構成、作用ないし効果は図８に示した前例のそれらと同様である。
【００６８】
図１０は本発明の又更に他の実施例に係るチャンネル型サポートの横断平面図であり、この図においては図面の上方を前方として、図面の左方を前方から向かって左方として示している。
【００６９】
このチャンネル型サポート１は、シングルタイプの角パイプ型サポートと呼ばれ、前後に長い長方形パイプ型材の前後両方の表面３にそれぞれ上下他段に挿入口５が形成され、前後の挿入口５に対応させた縦溝６は必要に応じて互いに連続した１条の縦溝６として形成されている。
【００７０】
この縦溝６の前後方向の中央、即ち、前後の縦溝６が連続する部分に、前後方向に適当な寸法ずつに振分けて、左右両方の溝側面７から溝内側に突出する突部８が形成され、前後いずれであれ、前記挿入口５から縦溝６に挿入された被支持体２の係止フック４の両面に前記突起８が当接するようにしている。
【００７１】
この実施例は、前後両面に被支持体２を着脱できる作用が得られること、それ自体で支柱の機能を発揮できる作用が得られることなどを除けば、その他の構成、作用ないし効果は図２に示した本発明の他の実施例におけるそれらと同様である。
【００７２】
図１１は図１０に示した本発明の又更に他の実施例における変形例の横断平面図であり、この実施例では左右の側面７を前後方向の中央部で連結する仕切１１が形成され、前後の挿入口５に対応する縦溝６がこの仕切１１により分断されている。
【００７３】
この仕切１１は縦溝６の両側面７及び突起８の間隔を一定に保持させるので、この仕切１１を設けることにより、何らかの理由により両側面７及び突起８の間隔が広がり、横振れ防止機能が低下することを確実に防止できる。
【００７４】
この変形例のその他の構成、作用ないし効果は図１０に示した本発明の又更に他の実施例におけるそれらと同様である。
【００７５】
図１２は本発明の更に異なる実施例に係るチャンネル型サポートの横断平面図であり、このチャンネル型サポート１は、外形が十文字に形成されたアルミニューム押出型材からなり、四方の各表面３にそれぞれ挿入口５が上下多段に形成され、内部に十文字状に連続する縦溝６が形成されている。そして、各縦溝６の両側面７には、例えばパーティションボードからなる被支持体２の端部に設けた係止フック４の側面に当接する突起８が形成されている。
【００７６】
この実施例のその他の構成、作用ないし効果は図３に示した本発明の他の実施例におけるそれらと同様である。
【００７７】
図１３は本発明の又更に異なる実施例に係るチャンネル型サポートの横断平面図であり、このチャンネル型サポート１は丸パイプ型材の内部に１対の溝型材を一体的に設けたアルミニューム押出型材からなり、その表面の互いに背反する２箇所にそれぞれ上下多段の挿入口５が形成される。
【００７８】
各挿入口５に対応する縦溝６の内側端面１２は閉じられ、この内側端面１２から所定の範囲にわたって左右両方の側面を溝内側に厚肉に形成することにより縦溝６内に挿入された係止フック４の側面に当接する突部８が形成されている。
【００７９】
なお、ここでは、表面３を全周にわたって一様な円筒面に形成しているが、挿入口５の両側の表面部分を接線に平行な平面に形成してもよい。
【００８０】
又、縦溝６の内側端面１２は、縦溝６が内側で開いて横振れ防止機能が低下することを確実に防止している。
【００８１】
この実施例のその他の構成、作用ないし効果は図３に示した本発明の他の実施例におけるそれらと同様である。
【００８２】
図１４は図１３に示した本発明の又更に異なる実施形態における変形例の横断平面図であり、この実施形態では、このチャンネル型サポート１は角パイプ型材の内部に１対の溝型材を一体的に設けたアルミニューム押出型材からなり、その表面の互いに背反する２箇所にそれぞれ上下多段の挿入口５が形成される。
【００８３】
各挿入口５に対応する縦溝６の内側端面１２は閉じられ、この内側端面１２から所定の範囲にわたって左右両方の側面を溝内側に厚肉に形成することにより縦溝６内に挿入された係止フック４の側面に当接する突部８が形成されている。
【００８４】
又、縦溝６の内側端面１２は、縦溝６が内側で開いて横振れ防止機能が低下することを確実に防止している。
【００８５】
この変形例のその他の構成、作用ないし効果は図１３に示した本発明の又更に異なる実施形態におけるそれらと同様である。
【００８６】
また、図１４においては、断面長四角形の角パイプ形材を用いたが、断面正四角形の角パイプ形材を用いても同様に構成することができる。
【００８７】
図１５の横断平面図に示す本発明の又更に異なる実施例に係るチャンネル型サポートは、鉄又は鋼フープ材をロール成形した型材からなるダブルタイプのチャンネルサポートであり、この実施例では、前側の表面３の中央部に上下多段の挿入口５が左右２列に並べて形成され、この前側の表面に連続して縦溝６の左右両側面７が形成されている。そして、各側面７の後部を内側に湾曲するように形成することにより突部８が形成されている。
【００８８】
この突部８はロール成形時に形成できるので、金型費用や材料費を従来の横振れ防止機能がないフープ材から造られるダブルタイプのチャンネルサポートと同様にして、低コストに製造できる。
【００８９】
この実施例のその他の構成、作用ないし効果は図９に示した本発明の更に他の実施例のそれらと同様である。
【００９０】
以上の実施例においては、被支持体２として陳列棚のブラケット、或いはパーティションボードを用いているが、被支持体２はこれらに限定されるものではなく、少なくとも上下２段の係止フック４を備え、これら係止フック４を縦メンンバ１の挿入口５から縦溝６に挿入し、被支持体２を下方にずらすことにより係止フック４をチャンネル型サポート１に係止できるように構成されたものであればよい。
【００９１】
又、上記各実施例では、挿入口５の上細り形状の上部５ａ及び下細り形状の下部５ｃの幅が直線的に、かつ左右対称的に変化するように形成しているが、例えば図１６のプロフィル図に示すように、これらの幅が曲線的にかつ左右対称的に逆Ｒ隅取り状に変化するように形成してもよく、又、図１７のプロフィル図に示すように、これらの幅が曲線的にＲ隅取り状に変化する楕円形ないし小判形に形成してもよく、更に、図１８のプロフィル図に示すように中央から上方の幅が直線的に変化する上細り形状に、下方の幅が直線的に変化する下細り形状に形成された６角長孔に形成してもよい。
【００９２】
又更に、挿入口５は上下対称形に形成する必要はなく、例えば図１９のプロフィル図に示すように挿入口５全体を逆台形に形成したり、図２０のプロフィル図に示すように、下部５ｃのみを下細り形状に形成したりしてもよい。
【００９３】
加えて、挿入口５を左右対称形に形成する必要はなく、例えば図２１のプロフィル図に示すように上部５ａを片流れ台形に、下部５ｃを斜辺の位置が上部と同じ側に位置する片流れ逆台形に形成したり、図２２のプロフィル図に示すように上部５ａを片流れ台形に、下部５ｃを斜辺の位置が上部５ａとは左右反対側に位置する片流れの逆台形に形成したりしてもよい。
【００９５】
更に、以上の実施例では、挿入口５が平面又は湾曲面からなる表面に形成されているが、挿入口５は屈曲面に形成してもよい。例えば図２３の横断平面図と図２４の正面図とに示す本第１発明の一実施例に係るチャンネル型サポートは角パイプ型材（又は溝型材）の例えば前方の左右の角部に、その角の両側の表面３にわたって連続する挿入口５を形成したものであり、この挿入口５は、被支持体２の面に平行な方向、即ち、前方、又は左側方、もしくは右側方から見て被支持体２の板厚よりもわずかに広幅な中間部５ｂと、斜辺がチャンネル型サポート１の中心方向に位置する片流れ台形に形成された上部５ａと、斜辺がチャンネル型サポート１の中心方向に位置する片流れ台形に形成された下部５ｃとを連続させた形状に形成されている。
【００９６】
又、この実施例では、左右に適当な間隔を置いて左右勝手が反対のものを配置し、各チャンネル型サポート１の内側（又は外側）の挿入口５に例えば連結部材９で連結された１対の被支持体２が挿入され、各被支持体２の係止フック４の先端内面（又は先端外面）が前記角部の内側（又は外）の表面３の内面に当接することにより係止フック４の先端部の横振れが防止される。
【００９７】
更に、各係止フック４の基端部は、係止フック４を挿入口５から縦溝６に挿入することにより、挿入口５の下部５ｃの左右両側縁に当接して左右への横振れを防止される。
【００９８】
この実施例のその他の構成、作用ないし効果は図９に示した本発明の更に他の実施例のそれらと同様である。
【００９９】
図２５は、本発明のチャンネル型サポート１を支柱１０１にタップネジ２０を用いて固定する状態を示す横断面図である。タップネジの２０のネジ径を突部８、８間の幅とほぼ同じものを用いる。このようなネジ径のタップネジ２０を用いることで、タップ作業時にタップネジ２０の横振れが突部８により抑制される。この結果、タップ作業の作業性が格段と向上するという作用効果が得られる。
【０１００】
以上説明したように、本発明は、被支持体の縦板状の係止フックが挿抜される上下多段も挿入口を有する表面と、これら挿入口から内部に挿入された係止フックが上下に移動できる縦溝とを備えるチャンネル型サポートにおいて、前記挿入口の少なくとも下部が下端で係止フックの板厚よりも細くなる下細り形状に形成されると共に、前記縦溝の両方又は一方の溝側面に前記縦溝の両方又は一方の溝側面に前記縦溝の両方又は一方の溝側面部を溝内側に湾曲させて、前記被支持体のブラケットの係止フックに当接する突部が形成されていることを特徴とするので、被支持体の係止フックを挿入口から縦溝に挿入して下方に移動させると、係止フックの基端部が挿入口の下部の左右両側縁に当接するので、横振れ防止用の別部材を用いることなく係止フックの基端部の横振れを防止することができると共に、係止フックの先端部を突部で牽制して被支持体の横振れを一層確実に横振れを防止できるという作用が得られる。
【０１０１】
そして、この作用から、横振れ防止用の別部材を省略して、部品点数を削減でき、製品コストを安価にできる上、部品管理が簡単になり、又、部品が紛失される可能性が低くなるという効果を得ることができる。
【０１０２】
更に、横振れ防止用の別部品を用いないので、被支持体を横振れ防止機能がない従来のチャンネル型サポートと同様に、係止フックを挿入口から縦溝に差込んで下にずらせるという簡単な作業で、しかも短時間で被支持体をチャンネル型サポートに組付けることができ、又、チャンネル型サポートに組付けた被支持体を上にずらせて挿入口から抜き取るという簡単な作業で、しかも短時間で被支持体をチャンネル型サポートから分解できるという効果を得ることができる。
【０１０３】
又更に、この被支持体のチャンネル型サポートへの着脱が簡単に、かつ短時間でできることから、設置現場において、誰でも簡単に、短時間で被支持体をチャンネル型サポートに組付けたり、チャンネル型サポートから被支持体を分解したりすることができるようになり、現場施工の時間を短縮できると共に、現場施工の人件費を大幅に削減できるなどの効果を得ることができる。
【０１０４】
加えて、被支持体のチャンネル型サポートへの着脱が簡単にできることから、設置後に商店の店員など組立作業に不慣れな者でも簡単に被支持体をチャンネル型サポートから取外して別の高さに付替えたり、別の支持体と交換したりすることができるなどの効果を得ることができる。
【０１０５】
もちろん、横振れ防止用部品の取付不良が生じる恐れはなく、横振れ防止用部品の取付不良により被支持体などの支持が不安定になる危険性は全くなくなる。
【０１０６】
又、上述したように、本発明はシングルタイプのチャンネル型サポートにも、ダブルタイプのチャンネル型サポートにも適用することができると共に、チャンネルサポートにもパイプサポートにも適用することができる上、被支持体とチャンネル型サポートとの嵌合構造が簡単であることから、この嵌合構造のモジュールデザイン化ないしユニバーサルデザイン化も簡単にできるなどの効果を得ることができる。
【図面の簡単な説明】
【図１】  本発明の斜視図である。
【図２】  本発明の横断平面図である。
【図３】  本発明の横断平面図である。
【図４】  本発明の横断平面図である。
【図５】  本発明の横断平面図である。
【図６】  本発明の横断平面図である。
【図７】  本発明の横断平面図である。
【図８】  本発明の横断平面図である。
【図９】  本発明の横断平面図である。
【図１０】  本発明の横断平面図である。
【図１１】  本発明の横断平面図である。
【図１２】  本発明の横断平面図である。
【図１３】  本発明の横断平面図である。
【図１４】  本発明の横断平面図である。
【図１５】  本発明の横断平面図である。
【図１６】  本発明の挿入口のプロフィル図である。
【図１７】  本発明の挿入口のプロフィル図である。
【図１８】  本発明の挿入口のプロフィル図である。
【図１９】  本発明の挿入口のプロフィル図である。
【図２０】  本発明の挿入口のプロフィル図である。
【図２１】  本発明の挿入口のプロフィル図である。
【図２２】  本発明の挿入口のプロフィル図である。
【図２３】  本第１発明の横断平面図である。
【図２４】  本第１発明の正面図である。
【図２５】  本発明のチャンネル型サポートを支柱にタップネジを用いて固定する状態を示す横断面図である。
【図２６】  従来の陳列棚の斜視図である。
【図２７】  従来例の縦断側面図である。
【図２８】  従来例の横断平面図である
【図２９】  従来例の横断平面図である
【符号の説明】
１  チャンネル型サポート
２  被支持体
３  表面
４  係止フック
５  挿入口
５ｃ  下部
６  縦溝
７  側面
８  突起
【図１】
0003987735.tif 000002
【図２】
0003987735.tif 000003
【図３】
0003987735.tif 000004
【図４】
0003987735.tif 000005
【図５】
0003987735.tif 000006
【図６】
0003987735.tif 000007
【図７】
0003987735.tif 000008
【図８】
0003987735.tif 000009
【図９】
0003987735.tif 000010
【図１０】
0003987735.tif 000011
【図１１】
0003987735.tif 000012
【図１２】
0003987735.tif 000013
【図１３】
0003987735.tif 000014
【図１４】
0003987735.tif 000015
【図１５】
0003987735.tif 000016
【図１６】
0003987735.tif 000017
【図１７】
0003987735.tif 000018
【図１８】
0003987735.tif 000019
【図１９】
0003987735.tif 000020
【図２０】
0003987735.tif 000021
【図２１】
0003987735.tif 000022
【図２２】
0003987735.tif 000023
【図２３】
0003987735.tif 000024
【図２４】
0003987735.tif 000025
【図２５】
0003987735.tif 000026
【図２６】
0003987735.tif 000027
【図２７】
0003987735.tif 000028
【図２８】
0003987735.tif 000029
【図２９】
0003987735.tif 000030